(57)【要約】【課題】ブラシの有効長を変更することなくブラシホルダ本体の小型化及び低コスト化を図ることができるブラシホルダを提供する。【解決手段】ブラシホルダ本体２１の中央にコンミュテータ１８が貫通する円形の貫通孔２１ａを形成すると共に、該貫通孔２１ａを挾んで相対向する位置に一対のブラシ収容部２１ｂ，２１ｂを形成し、この各ブラシ収容部２１ｂにブラシ２２を出没自在に収容し、かつ、一端部２３ｂをブラシホルダ本体２１に係止させたトーションスプリング２３の他端部２３ｃをブラシ２２の背面２２ａに押圧付勢して該ブラシ２２の正面２２ｂをコンミュテータ１８に接触させるようにしたブラシホルダ２０において、トーションスプリング２３の他端部２３ｃを直線状に形成し、かつ、ブラシ２２の背面２２ａを外側に突出する円弧凸面状に形成した。【選択図】図２
2008131677.tif 000002
【特許請求の範囲】
【請求項１】
ブラシホルダ本体の中央にコンミュテータが貫通する円形の貫通孔を形成すると共に、該貫通孔を挾むようにして少なくとも一対のブラシ収容部を形成し、この各ブラシ収容部にブラシを出没自在に収容し、かつ、一端部を前記ブラシホルダ本体に係止させたトーションスプリングの他端部を前記ブラシの背面に押圧付勢して該ブラシの正面を前記コンミュテータに接触させるようにしたブラシホルダにおいて、
前記トーションスプリングの他端部を直線状に形成し、かつ、前記ブラシの背面を外側に突出する円弧凸面状に形成したことを特徴とするブラシホルダ。
【請求項２】
内周面にマグネットを固着した有底筒状のヨークと、このヨークの開口部に固定され、中央にコンミュテータが貫通する円形の貫通孔を形成したブラシホルダと、このブラシホルダの貫通孔を挾むように少なくとも一対形成されたブラシ収容部に出没自在に収容されたブラシと、一端部を前記ブラシホルダに係止させると共に、他端部を前記ブラシの背面に押圧付勢させて該ブラシの正面を前記コンミュテータに接触させるトーションスプリングとを備えたモータにおいて、
前記トーションスプリングの他端部を直線状に形成し、かつ、前記ブラシの背面を外側に突出する円弧凸面状に形成したことを特徴とするモータ。
【発明の詳細な説明】
【技術分野】
【０００１】
本発明は、給電用のブラシを保持するブラシホルダ及び該ブラシホルダを用いるモータに関する。
【背景技術】
【０００２】
この種のブラシホルダとして、図５に示すものがある（例えば、特許文献１参照。）。
【０００３】
このブラシホルダ１は、図５に示すように、樹脂製で略円盤状のブラシホルダ本体２を有している。このブラシホルダ本体２の中央にはアーマチュア軸５のコンミュテータ６が貫通する円形の貫通孔２ａを形成してある。
【０００４】
そして、ブラシホルダ本体２の円形の貫通孔２ａを挾んで相対向する位置には、一対のブラシ収容部２ｂ，２ｂを形成してある。この一対のブラシ収容部２ｂ，２ｂ内には給電用のブラシ３を出没自在に収容してある。また、各ブラシ３の背面３ａは、一端部４ａがブラシホルダ本体２の係止部２ｃに係止されたトーションスプリング４の湾曲状の他端部４ｂにより押圧付勢されている。このトーションスプリング４の略Ｖ字湾曲状の他端部４ｂの押圧付勢により、ブラシ３の正面３ｂがコンミュテータ６に常に接触するようになっている。
【０００５】
【特許文献１】特開２００４−５６９２０号公報
【発明の開示】
【発明が解決しようとする課題】
【０００６】
しかしながら、前記従来のブラシホルダ１では、ブラシ３の押圧位置を一定にするために、トーションスプリング４の他端部４ｂを略Ｖ字湾曲状に折り曲げ形成しているため、ブラシホルダ本体２の幅寸法Ｈ′が大きくなった。また、トーションスプリング４の他端部４ｂを略Ｖ字湾曲状に折り曲げ加工しなければならないため、その分、工数が増えてコスト高であった。
【０００７】
そこで、本発明は、前記した課題を解決すべくなされたものであり、ブラシの有効長を変更することなくブラシホルダ本体の小型化及び低コスト化を図ることができるブラシホルダ及び該ブラシホルダを用いるモータを提供することを目的とする。
【課題を解決するための手段】
【０００８】
請求項１の発明は、ブラシホルダ本体の中央にコンミュテータが貫通する円形の貫通孔を形成すると共に、該貫通孔を挾むようにして少なくとも一対のブラシ収容部を形成し、この各ブラシ収容部にブラシを出没自在に収容し、かつ、一端部を前記ブラシホルダ本体に係止させたトーションスプリングの他端部を前記ブラシの背面に押圧付勢して該ブラシの正面を前記コンミュテータに接触させるようにしたブラシホルダにおいて、前記トーションスプリングの他端部を直線状に形成し、かつ、前記ブラシの背面を外側に突出する円弧凸面状に形成したことを特徴とする。
【０００９】
請求項２の発明は、内周面にマグネットを固着した有底筒状のヨークと、このヨークの開口部に固定され、中央にコンミュテータが貫通する円形の貫通孔を形成したブラシホルダと、このブラシホルダの貫通孔を挾むように少なくとも一対形成されたブラシ収容部に出没自在に収容されたブラシと、一端部を前記ブラシホルダに係止させると共に、他端部を前記ブラシの背面に押圧付勢させて該ブラシの正面を前記コンミュテータに接触させるトーションスプリングとを備えたモータにおいて、前記トーションスプリングの他端部を直線状に形成し、かつ、前記ブラシの背面を外側に突出する円弧凸面状に形成したことを特徴とする。
【発明の効果】
【００１０】
以上説明したように、請求項１の発明によれば、ブラシの背面を押圧付勢するトーションスプリングの他端部を直線状に形成し、かつ、ブラシの背面を外側に突出する円弧凸面状に形成したことにより、ブラシの大きさを変更することなく、ブラシホルダ本体の幅寸法を従来のものよりも小さくすることができる。また、トーションスプリングの他端部を従来のように折り曲げ加工しなくても済むため、その分工数及びコストを削減することができる。これらにより、ブラシホルダの小型化及び低コスト化を図ることができる。
【００１１】
請求項２の発明によれば、ブラシの背面を押圧付勢するトーションスプリングの他端部を直線状に形成し、かつ、ブラシの背面を外側に突出する円弧凸面状に形成したことにより、ブラシの大きさを変更することなく、ブラシホルダの幅寸法を従来のものよりも小さくすることができる。また、トーションスプリングの他端部を従来のように折り曲げ加工しなくても済むため、その分工数及びコストを削減することができる。これらにより、モータ全体の小型化及び低コスト化を図ることができる。
【発明を実施するための最良の形態】
【００１２】
以下、本発明の一実施形態を図面に基づいて説明する。
【００１３】
図１は本発明の一実施形態のブラシホルダを示す斜視図、図２は同ブラシホルダの平面図、図３は同ブラシホルダに用いるブラシとトーションスプリングの関係を示す拡大平面図、図４は同ブラシホルダを用いるモータの断面図である。
【００１４】
図４に示すように、モータ１０は、略有底扁平円筒状のヨーク１１と、このヨーク１１の開口部１１ａにビス１２等を介して結合されるギヤケース１３とを備えている。ヨーク１１の内周面１１ｂには一対のマグネット１４，１４が接着剤等を介して固着してある。そして、ヨーク１１の有底筒部１１ｃに嵌合された軸受１５ａと、ギヤケース１３の軸穴１３ａの両端近傍に嵌合された一対の軸受１５ｂ，１５ｃとでアーマチュア軸１７を回転自在に支持してある。
【００１５】
このアーマチュア軸１７は、その一端の近傍にウォーム１７ａを形成してある。また、アーマチュア軸１７の一対のマグネット１４，１４に対向する位置にはアーマチュア１６を取り付けてある。このアーマチュア１６は、アーマチュア軸１７に固定され、所定のスロット数のコイル巻回部を持つアーマチュアコア１６ａと、このアーマチュアコア１６ａのコイル巻回部に巻き回されたアーマチュアコイル１６ｂとで構成されている。
【００１６】
さらに、アーマチュア軸１７のヨーク１１とギヤケース１３との境部分に対向する位置の該ヨーク１１の開口部１１ａ内には、コンミュテータ１８を固定してある。このコンミュテータ１８はアーマチュアコア１６ａのコイル巻回部と同数のコンミュテータ片１８ａを備えていて、各コンミュテータ片１８ａとアーマチュアコイル１６ｂとは電気的にそれぞれ接続されている。
【００１７】
また、ヨーク１１の開口部１１ａ内のコンミュテータ１８に対向する位置には、ブラシホルダ２０を介して後延する一対のブラシ２２，２２をコンミュテータ１８の各コンミュテータ片１８ａに接触するように取り付けてある。各ブラシ２２は図示しないモータ制御回路にそれぞれ電気的に接続されていて、このモータ制御回路の制御により電流がアーマチュア１６等に流れてアーマチュア軸１７が正逆回転するようになっている。
【００１８】
また、ギヤケース１３の略中央には、軸穴１３ａに連通する凹状の減速機構収容部１３ｂを形成してある。この減速機構収容部１３ｂ内には、アーマチュア軸１７のウォーム１７ａに噛合するウォームホイール１９を回転自在に支持してある。このウォームホイール１９の中央には出力軸１９Ａが固定されている。これらウォーム１７ａとウォームホイール１９とでアーマチュア１６のアーマチュア軸１７の回転を減速させる減速機構Ｓが構成されている。
【００１９】
図１と図２及び図４に示すように、ブラシホルダ２０は合成樹脂製で略円盤状のブラシホルダ本体２１を有している。このブラシホルダ本体２１の中央にはコンミュテータ１８が貫通する円形の貫通孔２１ａを形成してある。そして、ブラシホルダ本体２１の円形の貫通孔２１ａを挾んで相対向する位置には一対のブラシ収容部２１ｂ，２１ｂを一体形成してある。この各ブラシ収容部２１ｂは前後が開口した四角筒状に形成してあり、その内部にブラシ２２を出没自在に収容してある。この各ブラシ２２の背面２２ａは、一端部２３ｂをブラシホルダ本体２１の各起立片部２１ｄの係止孔（係止部）２１ｅに係止させた押圧手段としてのトーションスプリング２３の他端部２３ｃで押圧付勢してある。これにより、各ブラシ２２の正面２２ｂはコンミュテータ１８の各コンミュテータ片１８ａに常に接触するようになっている。
【００２０】
図１〜図３に示すように、各ブラシ２２は略四角形のブロック状に形成してあり、その背面２２ａは外側に突出するように円弧凸面状に形成してある。また、各ブラシ２２の正面２２ｂはコンミュテータ１８の各コンミュテータ片１８ａに摺接するように内側に凹む円弧凹面状に形成してある。さらに、各ブラシ２２の上面にはピクテール線２４の一端を接続してある。このピクテール線２４の他端は円柱状の磁性コア２５に巻き付けられた電磁ノズル低減用のチョークコイル２６に接続されている。尚、ピクテール線２４は各ブラシ収容部２１ｂの天板部に形成されたＵ字状の切欠き部２１ｃ内に収容されていて各ブラシ２２の摺動を許容するようになっている。また、磁性コア２５及びチョークコイル２６はブラシホルダ本体２１の円形の貫通孔２１ａを挾んで相対向する各コーナ部に一体形成された略Ｃ字状の支持片部２１ｆに保持されている。
【００２１】
図１〜図３に示すように、トーションスプリング２３は、複数に巻き付けされた巻線部２３ａと、この巻線部２３ａの上端から直角に折れ曲がって延びる一端部２３ｂと、巻線部２３ａの下端から直線状に延びる他端部２３ｃとを有している。このトーションスプリング２３の巻線部２３ａは、ブラシホルダ本体２１の円形の貫通孔２１ａを挾んで相対向する各コーナ部に一体突出形成された円柱部２１ｇに装着してある。また、トーションスプリング２３の一端部２３ｂは、ブラシホルダ本体２１の各起立片部２１ｄの係止孔２１ｅ内に挿通されて係止されている。さらに、トーションスプリング２３の直線状の他端部２３ｃは、ブラシ２２の円弧凸面状の背面２２ａに当接している。そして、このトーションスプリング２３の押圧付勢によりブラシ２２の円弧凹面状の正面２２ｂがコンミュテータ１８の各コンミュテータ片１８ａに常に摺接するようになっている。
【００２２】
以上実施形態のモータ１０のブラシホルダ２０によれば、ブラシ２２の背面２２ａを押圧付勢するトーションスプリング２３の他端部２３ｃを直線状に形成し、かつ、ブラシ２２の背面２２ａを外側に突出する円弧凸面状に形成したことにより、ブラシ２２の有効長を変更することなく、ブラシホルダ本体２１の幅寸法Ｈを従来のものよりも小さくすることができる。さらに、トーションスプリング２３の他端部２３ｃを従来のように折り曲げ加工しなくても済むため、その分、工数及びコストを削減することができる。これらにより、ブラシホルダ２０の小型化及び低コスト化を図ることができ、モータ１０全体の小型化を図ることができる。
【００２３】
尚、前記実施形態によれば、ブラシホルダ本体の円形の貫通孔を挾んで相対向する位置にブラシを収容するブラシ収容部を一対形成したが、３つのブラシ収容部を形成しても良い。
【図面の簡単な説明】
【００２４】
【図１】本発明の一実施形態のブラシホルダを示す斜視図である。
【図２】上記ブラシホルダの平面図である。
【図３】上記ブラシホルダに用いるブラシとトーションスプリングの関係を示す拡大平面図である。
【図４】上記ブラシホルダを用いるモータの断面図である。
【図５】従来のブラシホルダの平面図である。
【符号の説明】
【００２５】
１０  モータ
１１  ヨーク
１１ａ  開口部
１１ｂ  内周面
１４  マグネット
１８  コンミュテータ
２０  ブラシホルダ
２１  ブラシホルダ本体
２１ａ  円形の貫通孔
２１ｂ，２１ｂ  一対のブラシ収容部
２２  ブラシ
２２ａ  円弧凸面状の背面
２２ｂ  正面
２３  トーションスプリング
２３ｂ  一端部
２３ｃ  直線状の他端部
【図１】
2008131677.tif 000003
【図２】
2008131677.tif 000004
【図３】
2008131677.tif 000005
【図４】
2008131677.tif 000006
【図５】
2008131677.tif 000007